(57)【特許請求の範囲】
【請求項１】
建物全体を監視制御する住棟受信機を備え、
所定単位ごとに区画された建物における各区画に対して、
複数の火災感知器と、
該複数の火災感知器の作動信号に基づいて火災警報動作を行う火災受信機と、
前記複数の火災感知器からの作動信号を入力し、該作動信号を前記火災受信機および前記住棟受信機にそれぞれ即座に移報する予作動式スプリンクラ消火設備専用中継器と、
弁開制御信号を入力すると、複数の閉鎖型スプリンクラヘッドへの給水管に設けられた予作動弁を開放する流水検知装置ユニットと
を備え、
前記住棟受信機は、前記予作動式スプリンクラ消火設備専用中継器から作動信号を入力すると、弁開制御信号を前記予作動式スプリンクラ消火設備専用中継器に出力し、
前記予作動式スプリンクラ消火設備専用中継器は、前記住棟受信機から前記弁開制御信号を入力すると、該弁開制御信号を前記流水検知装置ユニットに出力し、
前記火災受信機は、前記作動信号が所定時間継続すると、前記住棟受信機に火災信号を出力する
ことを特徴とするスプリンクラ消火設備。
【請求項２】
建物全体を監視制御する住棟受信機を備え、
所定単位ごとに区画された建物における各区画に対して、
複数の火災感知器と、
該複数の火災感知器の作動信号に基づいて火災警報動作を行う火災受信機と、
弁開制御信号を出力する予作動式スプリンクラ消火設備専用中継器と、
該予作動式スプリンクラ消火設備専用中継器からの前記弁開制御信号を入力し、複数の閉鎖型スプリンクラヘッドへの給水管に設けられた予作動弁を開放する流水検知装置ユニットと
を備え、
前記火災受信機は、前記複数の火災感知器から作動信号を入力し、該作動信号を即座に前記予作動式スプリンクラ消火設備専用中継器に移報するとともに、前記作動信号が所定時間継続すると、前記住棟受信機に火災信号を出力し、
前記住棟受信機は、前記火災受信機から火災信号を入力すると、弁開制御信号を予作動式スプリンクラ消火設備専用中継器に出力し、
前記予作動式スプリンクラ消火設備専用中継器は、前記火災受信機から火災感知器の作動信号を入力すると、即座に前記住棟受信機に火災感知器の作動信号を出力し、前記住棟受信機から前記弁開制御信号を入力すると、前記弁開制御信号を前記流水検知装置ユニットに出力する
ことを特徴とするスプリンクラ消火設備。
【請求項３】
前記住棟受信機は、共通の伝送線を介して、各区画の前記火災受信機及び前記予作動式スプリンクラ消火設備専用中継器との間で伝送信号の送受信を行うことを特徴とする請求項１又は２に記載のスプリンクラ消火設備。
【請求項４】
前記予作動式スプリンクラ消火設備専用中継器は、前記作動信号を入力して流水検知装置ユニットに前記弁開制御信号を出力した後に、復旧入力によって、前記流水検知装置ユニットに弁閉制御信号を出力する請求項１乃至３の何れかに記載のスプリンクラ消火設備。
【請求項５】
前記流水検知装置ユニットは、システム異常時に弁開制御信号が供給され、且つ、前記スプリンクラヘッドの開放による給水管の２次圧低下を検出すると、前記予作動弁を開放制御することを特徴とする請求項１乃至４の何れかに記載のスプリンクラ消火設備。
【請求項６】
システム異常時の弁開制御信号は、前記予作動式スプリンクラ消火設備専用中継器又は前記住棟受信機から供給されることを特徴とする請求項５に記載のスプリンクラ消火設備。
【請求項７】
前記複数の火災感知器はそれぞれ試験機能を備えており、前記複数の火災感知器に対して遠隔試験を行う試験手段を備えたことを特徴とする請求項１乃至６の何れかに記載のスプリンクラ消火設備。
【発明の詳細な説明】
【０００１】
【発明の属する技術分野】
本発明は、予作動式（湿式）スプリンクラシステムの制御方式として、火災感知器等による火災監視動作と、スプリンクラヘッド等による消火活動を一つの監視盤で監視するスプリンクラ消火設備に関する。
【０００２】
【従来の技術】
従来、予作動式（湿式）スプリンクラシステムの制御方式として、火災感知器等による火災監視動作と、スプリンクラヘッド等による消火活動を一つの監視盤で監視するスプリンクラ消火設備が例えば特開平７−１１６２８４号公報に開示されている。同公報においては、複数の火災感知器及び火災受信機が共通の伝送線を介して信号を送受信する、いわゆる自動火災報知設備に対して、いわゆる予作動式の流水検知装置への起動信号を、この伝送線を利用して出力するように火災受信機に消火活動の制御機能を設けて、火災報知と消火動作とを制御する監視盤としたものが開示されている。
【０００３】
また、この予作動式スプリンクラシステムの制御方式は、簡潔にいえば、火災感知器の作動信号に基づいて予作動弁を開放し、スプリンクラヘッドヘの給水を可能として、実際の放水はスプリンクラヘッドの感熱開放による、ＡＮＤ条件によって放水が開始されるシステムである。また、自動火災報知設備は、火災感知器の火災信号を火災受信機が受信することによって火災警報動作を行うものであるが、上記公報では一般的なシステムが前提とされていて、例えば、共同住宅のような建物に対しては、システムの構成が異なってくる。
【０００４】
【発明が解決しようとする課題】
ところで、共同住宅の場合には、各住戸の各部屋に火災感知器が設けられ、その信号は、各住戸に設けられた火災受信機によって受信され、火災受信機によって音声等による鳴動を行うことにより、火災警報動作が行われる。このように、自動火災報知設備としては、各住戸内で完結するシステムとなっているが、各住戸の火災受信機は、建物全体を監視する住棟受信機に火災信号を移報して、各住戸のみでなく、出火階やその上の階に火災警報動作を行うことになる。そして、このような各住戸ごとの火災受信機及び住棟受信機の動作を行おうとすると、上記公報に示された技術では十分でない。即ち、上記の公報においては、火災受信機から火災信号が住棟受信機に移報するまでに、いわゆる蓄積動作を行うことから時間がかかってしまい、住棟受信機からの信号に基づく予作動弁の開放が遅れてしまうという問題点がある。
【０００５】
本発明は、上記のような問題点を解決するためになされたものであり、火災が発生した場合に迅速な処理を可能にしたスプリンクラ消火設備を提供することを目的とする。
【０００６】
【課題を解決するための手段】
（１）本発明の請求項１に係るスプリンクラ消火設備は、建物全体を監視制御する住棟受信機を備え、所定単位ごとに区画された建物における各区画に対して、複数の火災感知器と、該複数の火災感知器の作動信号に基づいて火災警報動作を行う火災受信機と、前記複数の火災感知器からの作動信号を入力し、該作動信号を前記火災受信機および前記住棟受信機にそれぞれ即座に移報する予作動式スプリンクラ消火設備専用中継器と、弁開制御信号を入力すると、複数の閉鎖型スプリンクラヘッドへの給水管に設けられた予作動弁を開放する流水検知装置ユニットとを備え、前記住棟受信機は、前記予作動式スプリンクラ消火設備専用中継器から作動信号を入力すると、弁開制御信号を前記予作動式スプリンクラ消火設備専用中継器に出力し、前記予作動式スプリンクラ消火設備専用中継器は、前記住棟受信機から前記弁開制御信号を入力すると、該弁開制御信号を前記流水検知装置ユニットに出力し、前記火災受信機は、前記作動信号が所定時間継続すると、前記住棟受信機に火災信号を出力するものである。
【０００７】
（２）本発明の請求項２に係るスプリンクラ消火設備は、建物全体を監視制御する住棟受信機を備え、所定単位ごとに区画された建物における各区画に対して、複数の火災感知器と、該複数の火災感知器の作動信号に基づいて火災警報動作を行う火災受信機と、弁開制御信号を出力する予作動式スプリンクラ消火設備専用中継器と、該予作動式スプリンクラ消火設備専用中継器からの前記弁開制御信号を入力し、複数の閉鎖型スプリンクラヘッドへの給水管に設けられた予作動弁を開放する流水検知装置ユニットとを備え、前記火災受信機は、前記複数の火災感知器から作動信号を入力し、該作動信号を即座に前記予作動式スプリンクラ消火設備専用中継器に移報するとともに、前記作動信号が所定時間継続すると、前記住棟受信機に火災信号を出力し、前記住棟受信機は、前記火災受信機から火災信号を入力すると、弁開制御信号を予作動式スプリンクラ消火設備専用中継器に出力し、前記予作動式スプリンクラ消火設備専用中継器は、前記火災受信機から火災感知器の作動信号を入力すると、即座に前記住棟受信機に火災感知器の作動信号を出力し、前記住棟受信機から前記弁開制御信号を入力すると、前記弁開制御信号を前記流水検知装置ユニットに出力するものである。
【００１０】
（３）本発明の請求項３に係るスプリンクラ消火設備は、請求項１又は２に記載のスプリンクラ消火設備において、住棟受信機は、共通の伝送線を介して、各区画の火災受信機及び予作動式スプリンクラ消火設備専用中継器との間で伝送信号の送受信を行うものである。
【００１１】
（４）本発明の請求項４に係るスプリンクラ消火設備は、請求項１乃至３の何れかに記載のスプリンクラ消火設備において、予作動式スプリンクラ消火設備専用中継器は、作動信号を入力して流水検知装置ユニットに弁開制御信号を出力した後に、復旧入力によって、流水検知装置ユニットに弁閉制御信号を出力するものである。
【００１２】
（５）本発明の請求項５に係るスプリンクラ消火設備は、請求項１乃至４の何れかに記載のスプリンクラ消火設備において、流水検知装置ユニットは、システム異常時に弁開制御信号が供給され、且つ、スプリンクラヘッドの開放による給水管の２次圧低下を検出すると、予作動弁を開放制御するものである。
【００１３】
（６）本発明の請求項６に係るスプリンクラ消火設備は、請求項５記載のスプリンクラ消火設備において、システム異常時の弁開制御信号は、予作動式スプリンクラ消火設備専用中継器又は住棟受信機から供給される。
【００１４】
（７）本発明の請求項７に係るスプリンクラ消火設備は、請求項１乃至６の何れかに記載のスプリンクラ消火設備において、複数の火災感知器はそれぞれ試験機能を備えており、複数の火災感知器に対して遠隔試験を行う試験手段を備えたものである。
【００１５】
【発明の実施の形態】
実施形態１．
図１は本発明の実施形態１に係るスプリンクラ消火設備の構成を示したブロック図である。図１のスプリンクラ消火設備は、試験機能付感知器１０、遠隔試験機能付ドアホン１２、ＧＰ型３級受信機１４、感知器用中継器１６、予作動ＳＰ専用中継器１８、流水検知装置ユニット２０、端末用中継器２２及び住棟受信機２４から構成されている。なお、試験機能付感知器１０、遠隔試験機能付ドアホン１２、ＧＰ型３級受信機１４、感知器用中継器１６、予作動ＳＰ専用中継器１８及び流水検知装置ユニット２０は共同住宅の各住戸毎にそれぞれ配置され、端末用中継器２２は共同住宅の各階毎に配置され、また、住棟受信機２４は共同住宅全体を管理するものとして配置される。
【００１６】
試験機能付感知器（以下、感知器という）１０は、試験機能が付加された熱感知器や煙感知器等の火災感知器であり、各住戸の例えば部屋等に複数個設置される。遠隔試験機能付ドアホン（以下ドアホンという）１２は、遠隔試験機能が付加されたドアホンであり、各住戸の屋外（ドアの外側）に設置され、感知器１０と接続されてその作動信号を入力してそのまま移報するとともに、後述のように試験器が取り付けられ、感知器１０を試験する際の中継器としての機能を果たし、試験信号を出力する。ＧＰ型３級受信機（以下、火災受信機という）１４は火災受信機の１つの形式であり、感知器作動信号、試験信号等の入力に基づいて火災表示をしたり火災警報を発生する。なお、この火災受信機１４はインターホンに内蔵されており（又は兼用されており）、インターンの機能を備えているものとする。感知器用中継器１６は火災受信機１４と住棟受信機２４との間の介在して両者の間で信号の授受をする際のインターフェースの機能を果たす。
【００１７】
予作動ＳＰ専用中継器１８は、感知器１０からドアホン１２を介して感知器作動信号を入力すると火災受信機１４及び住棟受信機２４にそれぞれ即座に移報し、またドアホン１２から試験信号を入力すると火災受信機１４に出力する。また、この予作動ＳＰ専用中継器１８は、住棟受信機２４からバルブ開制御信号及びバルブ閉制御信号をそれぞれ入力して流水検知装置ユニット２０に出力したり、或いは、後述のように感知器１０の異常を検出する機能を備えている。
【００１８】
流水検知装置ユニット２０は、複数の閉鎖型スプリンクラヘッドＳが接続される給水管に設けられた予作動弁ＭＶのいわゆる弁回りであって、具体的には、予作動弁ＭＶの１次側に配置される制御弁Ｖ１と、予作動弁ＭＶの２次側に配置されるパドル式流水検知スイッチＦＤと、これらをバイパスする逆止弁ＳＶを備えたバイパス流路ＳＲと、２次圧低下検出用圧力スイッチＰＳと、予作動弁ＭＶが減圧開放方式によって開放可能とするための遠隔起動弁ＰＶとをそれぞれ備えている。また、制御弁Ｖ１は、手動によって給水管を閉止できる弁であるが、その開放状態をハンドルの位置等によって検知するリミットスイッチＬ１が設けられて、同様に、遠隔起動弁ＰＶは、開閉制御信号がそれぞれ入力されることとは別に、その開放状態を詳細に示さないモータ位置等によって検知するリミットスイッチＬ２が設けられている。なお、このような予作動弁ＭＶには、詳細に示さない貯水槽からポンプＰ等による加圧送水装置によって消火水が供給されることは勿論である。
【００１９】
このような弁回りを備えた予作動弁ＭＶの動作について簡単に説明すると、常時は、予作動弁ＭＶの１次側および２次側には、バイパス流路ＳＲによって同圧に保持され、そして、遠隔起動弁ＰＶが常時閉状態にあるので、予作動弁ＭＶの図示しないピストン室内も同圧に保持されている。
火災が発生した場合、まず感知器１０が作動しそれに基づき遠隔起動弁ＰＶが開放される。この遠隔起動弁ＰＶの開放により、予作動弁ＭＶの図示しないピストン室が排水によって減圧されて、予作動弁ＭＶの図示しない弁体が開放される。そして、火災の熱によって閉鎖型スプリンクラヘッドＳが開放して、予作動弁ＭＶを介して消火水がスプリンクラヘッドＳから放水を開始する。この放水によって給水管内に流水が生じ、流水検知スイッチＦＤが作動して流水信号を出力する。
また、非火災時として感知器１０のみ作動した場合、上記の火災時と同様に、予作動弁ＭＶは開放するが、スプリンクラヘッドＳが閉鎖しているため、放水は行われず、水損は防止される。また、非火災時としてスプリンクラヘッドＳのみが作動した場合、予作動弁ＭＶの２次側給水管内から残水が一時的に放水されるが、予作動弁ＭＶは閉止しているため、バイパス流路ＳＲを介した小流量の消火水が継続放水されるのみで、大きな水損にはならない。なお、ここでは、予作動弁ＭＶの弁回りにバイパス流路ＳＲを設けて２次側に１次側と同様の充水を可能とし、いわゆる湿式予作動方式としているが、このようなバイパス流路ＳＲを削除して、従来から用いられている２次側を乾式とする予作動式としてもよい。また、２次側へ供給される消火水は調圧されてもよいことや予作動弁ＭＶが減圧開放方式でなく加圧開放方式でもよいことは勿論である。
【００２０】
端末用中継器２２は、流水検知装置ユニット２０の上記の流水信号、制御弁開信号、試験信号及び２次圧低下信号をそれぞれ入力して、住棟受信機（Ｒ型受信機）２４に送信する。この端末用中継器２２は、各階毎に設置されており、上記の流水検知装置ユニット２０のからの信号（即ち接点信号）を入力するための信号線は同一階の各流水検知装置ユニット２０へ送り配線される。
【００２１】
住棟受信機（Ｒ型受信機）２４は、上記の感知器用中継器１６、予作動ＳＰ専用中継器１８及び端末用中継器２２からの信号を入力して、後述の制御処理を行う。なお、住棟受信機（Ｒ型受信機）２４と、感知器用中継器１６、予作用中継器１８及び端末用中継器２２とは、共通の伝送線・制御線２６を介して接続されており、信号の授受は伝送信号によって行われるものとし、感知器用中継器１６、予作動ＳＰ専用中継器１８及び端末用中継器２２はそれぞれ個別に固有のアドレスをもっている。
【００２２】
図２乃至図７は図１のスプリンクラ消火設備の動作をそれぞれ示したフローチャートであり、これらのフローチャートに基づいてその動作を説明する。
【００２３】
図２は図１のスプリンクラ消火設備の火災時の動作を示したフローチャートである。同図においては、左側は流水検知装置ユニット２０側（ＳＰ側）の動作、中央部は自動火災報知設備側（自火報側）の動作、左側は火災受信機１４（インターホン側）の動作をそれぞれ示している。
【００２４】
（Ｓ１）感知器１０が作動すると感知器作動信号を出力する（図２乃至図７におけるフローチャート中での感知器発報信号は感知器作動信号を指している）。
【００２５】
（Ｓ２）予作動ＳＰ専用中継器１８は、ドアホン１２を介して感知器作動信号を入力すると、感知器作動信号を火災受信機１４及び住棟受信機２４にそれぞれ移報する（図２乃至図７におけるフローチャート中でのＩＰは火災受信機１４を指している）。火災受信機１４は感知器作動信号を入力すると、それを表示するとともに警報を発生する。
【００２６】
（Ｓ３）住棟受信機２４は、予作動ＳＰ専用中継器１８から伝送線２６を介して感知器発報信号を受信すると、その感知器発報を表示するとともに警報を発生する。
【００２７】
（Ｓ４）住棟受信機２４は、また、一定の条件下（例えば試験や点検中でないことを条件として）で、遠隔起動弁ＰＶを開放させるためのバルブ開制御信号を予作動ＳＰ専用中継器１８に送信し、予作動ＳＰ専用中継器１８は、電動式の遠隔起動弁ＰＶを開放させるバルブ開制御信号を流水検知装置ユニット２０に出力する。流水検知装置ユニット２０は、バルブ開制御信号を入力すると、遠隔起動弁ＰＶを開放させる。ここで、バルブ開制御信号は、開放方向への稼動電流印加である。この遠隔起動弁ＰＶの開放に連動して予作動弁ＭＶも開放状態にされ、スプリンクラ消火設備の給水管の１次側と２次側とが導通状態になる。
【００２８】
（Ｓ５）流水検知装置ユニット２０が遠隔起動弁ＰＶを開放させると、それを検出するためのリミット水Ｌ２の接点が閉成されて遠隔起動弁ＰＶが開放されたことを示すバルブ開信号が出力され、予作動ＳＰ専用中継器１８は、そのバルブ開信号の入力により住棟受信機２４に送信する。住棟受信機２４はバルブ開信号を受信すると、遠隔起動弁ＰＶが開放されたことを表示するとともに警報を発生する（図２乃至図７におけるフローチャートでの開放信号はバルブ開信号を指している）。
【００２９】
（Ｓ６）一方、火災受信機１４は、いわゆる蓄積動作として感知器発報から所定時間例えば２分間、感知器作動信号を継続して入力すると、或いは住戸内に人が居て火災と断定して火災受信機１４の操作がなされると、火災表示をするとともに警報を発生する。そして、火災受信機１４は、感知器用中継器１６を介して住棟受信機２４に火災信号を移報する（図２乃至図７におけるフローチャートでの火災用中継器は感知器用中継器１６を指している）。
【００３０】
（Ｓ７）住棟受信機２４は上記の火災信号を受信すると、火災表示をするともに警報を発生する。
【００３１】
（Ｓ８）住棟受信機２４は、また、上記の火災信号を移報した火災受信機１４を除く、火災が発生した階（出火階）及びその直上階の各住戸の火災受信機１４に対して警報信号を送信する。出火階及びその直上階の住戸の火災受信機１４はその警報信号を感知器用中継器１６を介して受信すると、火災表示をするとともに警報を発生する。
【００３２】
（Ｓ９）火災が発生して、スプリンクラヘッドＳが溶解して開くと、その時点にておいては既に予作動弁ＭＶが開放されて１次側と２次側とが導通状態になっているので、スプリンクラヘッドＳからの放水が行われ、消火が開始される。この放水により流水検知装置ユニット２０のパドル式の流水検知スイッチＦＤが作動して流水信号を出力し、端末用中継器２２は流水信号を入力して住棟受信機２４に出力する（図２乃至図７におけるフローチャートでの流水検知装置作動は流水検知スイッチＦＤの作動による流水信号出力を指している）。
【００３３】
（Ｓ１０）住棟受信機２４は、上記の流水信号を受信すると、スプリンクラヘッドＳの開放表示を行うともに警報を発生する。
【００３４】
（Ｓ１１）住棟受信機２４は、出火階及び直上階を表示するともに警報を発生し、また、火災が発生した住戸、出火階及びその直上階の各住戸の火災受信機１４に対して警報信号を出力する。火災が発生した住戸、出火階及びその直上階の住戸の火災受信機１４は、その警報信号を感知器用中継器１６を介してそれぞれ受信すると、ステップＳ８の場合と同様に、火災表示をするとともに警報を発生する。ここで、出火階及び直上階の警報について、フロア毎の端末用中継器２２を介して該当する火災受信機１４に入力するようにしてもよく、住棟受信機２４の送信動作は簡便になる。
【００３５】
（Ｓ１２）スプリンクラヘッドＳからの放水により消火が行なわれて、消火が確認されると、復旧操作作業を行って、住棟受信機２４等についての復旧作業を行う。詳細は、後述する図３の動作（Ｓ２９）乃至（Ｓ３０ａ）と同じである。
【００３６】
図３は図１のスプリンクラ消火設備の非火災時（感知器１０が発報し、スプリンクラヘッドＳは開放しない状態）の動作を示したフローチャートである。同図においては、左側は流水検知装置ユニット２０側（ＳＰ側）の動作、中央部は自動火災報知設備側（自火報側）の動作、左側は火災受信機１４等（インターホン側）の動作をそれぞれ示している。
【００３７】
（Ｓ２１）乃至（Ｓ２５）の動作は上記の火災時の動作（Ｓ１）乃至（Ｓ５）と同じであるからその説明は省略する。
【００３８】
（Ｓ２６）感知器１０が感知器作動信号を発報した後にオフになると、予作動ＳＰ専用中継器１８はそのオフ信号をドアホン１４を介して入力する。ここで、感知器１０は、火災レベルに達したときに、火災状態を維持する自己保持型ではなく、レベルの低下に基づき、火災状態をクリアする非保持型のものが用いられている。
【００３９】
（Ｓ２７）予作動ＳＰ専用中継器１８はそのオフ信号を火災受信機１４及び住棟受信機２４にそれぞれ移報する。
【００４０】
（Ｓ２８）火災受信機１４は、上記のオフ信号を受信すると、蓄積動作における感知器作動信号が所定時間継続しなかったとして（火災が発生しなかったとして）、感知器作動信号の表示及び警報を停止する。また、このとき、住戸内に人が居て、火災が発生していないことが分かると、火災受信機１４を手動により操作して警報を停止させることもできる。
【００４１】
（Ｓ２９）住棟受信機２４は、上記のオフ信号を受信すると、火災が発生しなかったとして、復旧操作に移行する。この復旧操作においては、住棟受信機２４の盤面を見た管理者が住棟受信機２４が保持している感知器作動信号に基づく火災状態から、感知器作動信号をクリアして元の状態に復旧させる操作を行う。この操作に基づいて復旧信号を予作動ＳＰ専用中継器１８に送信する。
【００４２】
（Ｓ３０）予作動ＳＰ専用中継器１８は、上記の復旧信号を受信すると、流水検知装置ユニット２０に対してバルブ開制御信号の出力をオフする。このバルブ開制御信号のオフは、遠隔起動弁ＰＶ（電動式）の開放方向への制御電圧を遮断することを意味している。
【００４３】
（Ｓ３０ａ）住棟受信機２４は遠隔復帰操作に移行する。この復旧操作においても、上記のように管理者が、遠隔復旧操作を行い、住棟受信機２４は、遠隔起動弁ＰＶを閉止するための信号、即ち、バルブ閉制御信号を予作動ＳＰ専用中継器１８に送信する。予作動ＳＰ専用中継器１８は、上記のバルブ閉制御信号を受信して流水検知装置ユニット２０に出力する。バルブ閉制御信号の供給により遠隔起動弁ＰＶの閉止方向への制御電圧が印加がされ、遠隔起動弁ＰＶが閉止する。この遠隔起動弁ＰＶの閉止により予作動弁ＭＶも閉止する。遠隔起動弁ＰＶが閉止すると、バルブ開信号が流水検知装置ユニット２０から停止して予作動ＳＰ専用中継器１８が停止を検出し、予作動ＳＰ専用中継器１８はそのバルブ開信号の停止を住棟受信機２４に送信する。住棟受信機２４はその受信を入力すると、遠隔起動弁ＰＶの開放表示を停止する。
【００４４】
図４は図１のスプリンクラ消火設備の点検時の動作を示したフローチャートである。なお、同図においては、左側は外部試験器３０側の動作、中央部は自動火災報知設備側（自火報側）の動作、左側はドアホン１２（インターホン側）の動作をそれぞれ示している。
【００４５】
（Ｓ３１）点検を行う場合には点検前作業として、住棟受信機２４について、地区音響停止操作、一括移報遮断操作及び一括連動遮断操作を行い、その動作に制約を設けておくものする。
【００４６】
（Ｓ３２）点検前作業が終了すると、ドアホン１２に外部試験器をセットする。それにより試験信号がドアホン１２を介して予作動ＳＰ専用中継器１８に出力される。また、試験の完了によりパルス的な感知器作動信号（パルス火災信号）がドアホン１２を介して予作動ＳＰ専用中継器１８に出力される。
【００４７】
図８はドアホン１２に外部試験器３０をセットして点検作業を行っている状態を示した図である。ドアホン１２に外部試験器３０に接続すると、外部試験器３０のコネクタ接続により、ドアホン１２で接点が閉じられて試験中であることを表す試験信号が発生する。そして、外部試験器３０から感知器１０（１０ａ，１０ｂ）に対してアドレス指定で個別に試験信号をドアホン１２を介して感知器１０に出力し、感知器１０はスイッチング動作による作動信号をパルス的に返信する。外部試験器３０は、この作動信号のパルスを確認しながら、複数の感知器１０に順次試験信号を出力していく。外部試験器３０は、このように感知器１０に対して試験信号（命令）を発信し、ドアホン１２から感知器作動信号（パルス発信の作動信号）を入力する。また、上記の試験信号及び感知器作動信号は信号線を通じて予作動ＳＰ専用中継器１８に対しても出力される。
【００４８】
（Ｓ３３）予作動ＳＰ専用中継器１８は上記の試験信号を入力すると、試験信号を火災受信機１４に移報する。火災受信機１４は試験信号を入力すると、ドアホン１０の図示しない表示灯を点滅表示させて、試験中であることを表示させる。また、予作動ＳＰ専用中継器１８は感知器作動信号（火災信号）を入力すると、感知器作動信号（火災信号）を火災受信機１４に移報する。火災受信機１４は感知器作動信号（火災信号）を入力すると、ドアホン１０に火災表示（試験用）を行なわせるとともに警報を発生させる。これによって点検員は、住戸外で警報動作が正常であると認識できる。
【００４９】
（Ｓ３４）また、予作動ＳＰ専用中継器１８は、感知器作動信号を住棟受信機２４に移報し、住棟受信機２４はその信号を受信すると、感知器の作動を表示するとともに、警報を発生する。
【００５０】
（Ｓ３５）また、火災受信機１４は感知器作動信号（火災信号）を入力すると、点検時であることを認識しているので、このとき蓄積動作は行わずに、そのまま火災信号を発生して、感知器用中継器１６を介して住棟受信機２４に移報する。
【００５１】
（Ｓ３６）住棟受信機２４はその火災信号を入力すると、火災表示をするとともに警報を発生する。このとき、住棟受信機２４は予め点検時であることが分かっている。
【００５２】
（Ｓ３７）上記の処理が終了すると、火災復旧操作を行い、住棟受信機２４の感知器作動表示や火災表示をリセットする。
【００５３】
図５は図１のスプリンクラ消火設備の２次圧低下時（スプリンクラヘッドＳの誤開放時）の動作を示したフローチャートである。同図においては、左側は流水検知装置ユニット２０側（ＳＰ側）の動作、中央部は自動火災報知設備側（自火報側）の動作、左側は火災受信機１４等（インターホン側）の動作をそれぞれ示している。このことは、後述の図６及び図７において同様である。
【００５４】
（Ｓ４１）スプリンクラーヘッドＳが物の衝突等の何らかの原因で開放されて２次側の水が流出すると、流水検知装置ユニット２０は圧力スイッチＰＶにより２次圧低下を検出する。
【００５５】
（Ｓ４２）端末用中継器２２は、流水検知装置ユニット２０により検出された２次圧低下信号を入力すると、住棟受信機２４に送信する（図２乃至図７におけるフーチャートでのＳ用中継器は端末用中継器２２を指している）。
【００５６】
（Ｓ４３）住棟受信機２４は、２次圧低下信号を受信すると、２次圧が低下した階を表示するとともに警報を発生する。
【００５７】
図６は図１のスプリンクラ消火設備の制御弁Ｖ１閉の時の動作を示したフローチャートである。なお、制御弁Ｖ１は、予作動弁ＭＶの１次側に配置されており、予作動弁ＭＶの交換時や作業として流水を阻止しておく場合に手動にて開閉操作を行うものであり、この制御弁Ｖ１が閉止されていると消火活動が行えなくなるので、この状態を監視して住棟受信機２４等において表示・警報をするようにしている。
【００５８】
（Ｓ５１）制御弁は通常は開状態になっているが、何らかの原因で閉止状態になると、リミットスイッチＬ１により接点を閉成して流水検知装置ユニット２０は制御弁閉止信号を出力し、端末用中継器２２はその制御弁閉止信号を入力し、住棟受信機２４に送信する。
【００５９】
（Ｓ５２）住棟受信機２４は、上記の制御弁閉止信号を受信すると、制御弁Ｖ１閉止階を表示するとともに警報を発生する。
【００６０】
（Ｓ５３）上記の制御弁閉止信号については火災受信機１４も入力する。そして、火災受信機１４は、異常表示をするとともに警報を発生する。また、ドアホン１２は、火災受信機１４を介して上記の制御弁閉止信号を入力して、表示灯を点灯して異常表示を行う。
【００６１】
図７は図１の自動火災報知設備の異常時の動作を示したフローチャートである。
（Ｓ６１）異常として、例えば感知器１０への信号線の断線等が発生すると、予作動ＳＰ専用中継器１８はその異常を検出し、異常信号を住棟受信機２４に出力する。或いは伝送線・制御線２６が断線（又は短絡）すると、住棟受信機２４はその異常を検出する。住棟受信機２４はその異常信号を受信し又は異常を検出すると、異常発生表示をするとともに警報を発生する。
【００６２】
（Ｓ６２）住棟受信機２４は遠隔起動弁ＰＶを開放するための異常信号（遠隔起動弁ＰＶの開放するため制御電圧）を流水検知装置ユニット２０に出力する。
【００６３】
（Ｓ６３）このとき、火災が発生してスプリンクラヘッドＳが開放され、２次側の水が流れ出すと２次圧が低下し、２次圧の低下を検出する圧力スイッチＰＳが接点を閉じる。
【００６４】
（Ｓ６４）流水検知装置ユニット２０は、上記の異常信号が入力している状態において、２次圧が低下すると、上記圧力スイッチＰＳ閉成に基づき上記の異常信号を利用して２次圧が低下した住戸の遠隔起動弁ＰＶを開放して消火を開始させる。
【００６５】
（Ｓ６５）住棟受信機２４は、端末用中継器２２を介して２次圧低下信号を受信し、予作動ＳＰ専用受信機１８を介してバルブ開信号を受信する。そして、図５の２次圧低下時と同様に、２次圧低下階を表示するともに警報を発生し、また、遠隔起動弁ＰＶの開放表示及びそれに対応した警報を発生する。
【００６６】
（Ｓ６６）また、流水検知装置ユニット２０のパドル式の流水検知スイッチＦＤが作動して流水信号が出力されると、端末用中継器２２及び火災受信機１４は流水信号をそれぞれ入力し、端末用中継器２２は流水信号を住棟受信機２４に送信する。火災受信機１４は、流水信号を入力すると、感知器表示及びそれに対応した警報動作をする。
【００６７】
（Ｓ６７）住棟受信機２４は、上記の流水信号を受信すると、スプリンクラヘッドの開放表示を行うとともに、それに対応した警報を発生する。
【００６８】
（Ｓ６８）住棟受信機２４は、図２の場合（Ｓ８）と同様に、出火階及び直上階の表示及び警報を発生するとともに、火災が発生した住戸、出火階及び直上階の火災受信機１４に、感知器用中継器１６を介して警報信号を送信する。
【００６９】
（Ｓ６９）火災が発生した住戸、出火階及び直上階の火災受信機１４は、上記の警報信号を感知器用中継器１６を介して上記の警報信号を受信すると、火災表示するともにそれに対応した警報を発生する。
【００７０】
（Ｓ７０）スプリンクラヘッドＳからの放水により消火が行なわれて、消火が確認されると、復旧操作作業を行って、住棟受信機２４等についての復旧作業を行う。
【００７１】
このような実施形態１において、請求項１における複数の火災感知器は試験機能付感知器１０が、火災受信機は火災受信機１４が、予作動式スプリンクラ消火設備専用中継器は予作動ＳＰ専用中継器１８が、流水検知装置ユニットは流水検知装置ユニット２０がそれぞれの一例として対応し、ここで、予作動ＳＰ専用中継器１８は、感知器１０の発した作動信号に基づいて、住棟受信機２４に送信せずに、直接流水検知装置ユニット２０にバルブ開制御信号を出力してもよい。さらに、請求項３の共通の信号線の一例が電送線２６である。また、請求項４の復旧入力の一例は、住棟受信機２４に対する遠隔復帰操作（Ｓ３０ａ）であり、請求項５のシステム異常時に供給される弁開制御信号の一例が故障信号で、請求項６の弁開制御信号を出力する一例は住棟受信機２４で、請求項７の遠隔試験を行う試験手段の一例は試験機３０が接続されるドアホン１２である。
【００７２】
実施形態２．
図９は本発明の実施形態２に係るプリンクラ消火設備の構成を示したブロック図である。本実施形態２においては、住棟受信機としてＰ型１級受信機３１が設置されている。このため、住棟受信機３１と火災受信機１４との間に感知器用中継器１６が介在せず、Ｐ型配線３５により両者は住戸毎に接続されている。また、住棟受信機３１は、流水検知装置ユニット２０との関係では、予作動ＳＰ専用中継器１８及び端末用中継器２２の機能を含んでおり、これらの機能を果している。このため、予作動ＳＰ専用中継器１８及び端末用中継器２２は設置されていないが、ドアホン１２からの感知器作動信号や試験信号を入力して、その信号を火災受信機１４等に移報するための試験機能付感知器専用中継器３２が設置されている。
【００７３】
本実施形態２において、試験機能付感知器専用中継器３２は、ドアホン１２を介して感知器作動信号を入力して、火災受信機１４及び住棟受信機３１にそれぞれ移報する。なお、試験機能付感知器専用中継器３２が住棟受信機３１に感知器信号を移報する際には専用の信号線３３により行われる。また、試験機能付感知器専用中継器３２には住棟受信機３１から電源線３４を介して電源が供給される。
【００７４】
また、この試験機能付感知器専用中継器３２は、ドアホン１２に外部試験器が接続されて試験信号及び作動信号を入力すると、それらの信号を火災受信機１４に移報するともに、感知器作動信号を住棟受信機３１に移報する。このときの動作は上記の予作動ＳＰ専用中継器１８の動作と同じである。
【００７５】
このような実施形態２において、請求項１における複数の火災感知器は試験機能付感知器１０が、火災受信機は火災受信機１４が、予作動式スプリンクラ消火設備専用中継器は住棟受信機３１が、流水検知装置ユニットは流水検知装置ユニット２０がそれぞれの一例として対応する。さらに、以降、請求項４から７に対して、実施形態１の住棟受信機２４を住棟受信機３１に置き換えて、実施形態１と同様に一例として対応する。
【００７６】
実施形態３．
図１０は本発明の実施形態３に係るプリンクラ消火設備の構成を示したブロック図である。本実施形態３は、上記の実施形態１とその基本構成は同じであるが、ドアホン１２に遠隔試験機能を持たせずに、予作動ＳＰ専用中継器１８ａにその機能を持たせている。このため、感知器１０は予作動ＳＰ専用中継器１８ａと直接接続されており、感知器１０の作動信号及び試験信号の授受がドアホン１０を介在さずに直接行われる。
【００７７】
このような実施形態３において、実施形態１の予作動式ＳＰ専用中継器１８が試験機能付の予作動式ＳＰ専用中継器１８ａに置き換えられることによって、請求項１および請求項３から６において実施形態１と同様に一例としてそれぞれ対応し、さらに、請求項７の遠隔試験を行う試験手段の一例は試験器が接続される試験機能付の予作動ＳＰ専用中継器１８ａである。
【００７８】
実施形態４．
図１１は本発明の実施形態４に係るプリンクラ消火設備の構成を示したブロック図である。本実施形態４は、上記の実施形態１とその基本構成は同じであるが、ドアホン１２からの感知器作動信号及び試験信号を、予作動ＳＰ専用中継器１８を介さずに、火災受信機１４ａに直接出力するようにしている。そして、火災受信機１４ａは、図１の例と同様に感知器用中継器１６に火災信号を出力するともに、感知器作動信号及び故障信号を予作動ＳＰ専用中継器１８に移報するようにしている。
【００７９】
図１１の故障信号は例えば感知器線異常が発生した場合の故障信号である。実施形態４においては、感知器１０への信号線の状態を火災受信機１４ａが監視し、、例えば信号線の断線発生時には火災受信機１４ａがそれを検出して、予作動式ＳＰ専用中継器１８に移報することによって、住棟受信機２４に出力するように構成されている。なお、実施形態４以外の実施形態（１〜３、５、６）においては、予作動式ＳＰ専用中継器１８が感知器１０への信号の状態を監視しており、断線（又は短絡）発生時には予作動式ＳＰ専用中継器１８が故障信号を住棟受信機２４に送信する。
【００８０】
このような実施形態４において、請求項２における複数の火災感知器は試験機能付感知器１０が、火災受信機は火災受信機１４ａが、予作動式スプリンクラ消火設備専用中継器は予作動ＳＰ専用中継器１８が、流水検知装置ユニットは流水検知装置ユニット２０がそれぞれの一例として対応し、ここで、予作動ＳＰ専用中継器１８は、感知器１０の発した作動信号に基づいて、住棟受信機２４に送信せずに、直接流水検知装置ユニット２０にバルブ開制御信号を出力してもよい。さらに、請求項３から７について、実施形態１の火災受信機１４が火災受信機１４ａに置き換えられることによって、実施形態１と同様に一例としてそれぞれ対応する。
【００８１】
実施形態５．
図１２は本発明の実施形態５に係るスプリンクラ消火設備の構成を示したブロック図である。本実施形態５は、上記の実施形態１とその基本構成は同じであるが、予作動ＳＰ専用中継器１８の機能が次のような点で相違する。予作動ＳＰ専用中継器１８は、異常（感知器線の異常、感知器用中継器の異常、住棟受信機との伝送異常又は異常信号の受信）を検出する機能を備えており、異常を検出すると、住棟受信機２４からの指示を受けずに、バルブ開制御信号を流水検知装置ユニット２０に出力する。このように異常が検出されたらバルブ開制御信号を流水検知装置ユニット２０に出力して、２次圧の低下に基づき遠隔起動弁を開放できるようにし、異常時の火災に迅速に対応できるようにしている。
【００８２】
このような実施形態５において、請求項１および請求項３から７において実施形態１と同様に一例としてそれぞれ対応し、ここでは、請求項６の弁開制御信号を出力する一例は予作動ＳＰ専用中継器１８である。
【００８３】
実施形態６．
図１３は本発明の実施形態６に係るプリンクラ消火設備の構成を示したブロック図である。本実施形態６は、上記の実施形態３とその基本構成は同じであるが、予作動ＳＰ専用中継器１８の機能が次のような点で相違する。即ち、予作動ＳＰ専用中継器１８には図８の外部試験器３０の機能が内蔵されており、定期的に感知器１０を試験することができる。
【００８４】
このような実施形態６において、請求項１および請求項３から６において実施形態１と同様に一例としてそれぞれ対応し、さらに、請求項７の遠隔試験を行う試験手段の一例は試験器と同じ機能を備えた予作動ＳＰ専用中継器１８である。
【００８５】
以上のように請求項１又は２に係る発明によれば、住棟受信機は、予作動式スプリンクラ消火設備専用中継器から作動信号を入力すると、弁開制御信号を予作動式スプリンクラ消火設備専用中継器に出力し、予作動式スプリンクラ消火設備専用中継器は、住棟受信機から弁開制御信号を入力すると、弁開制御信号を流水検知装置ユニットに出力し、火災受信機は、作動信号が所定時間継続すると、住棟受信機に火災信号を出力し、又は、火災受信機は、複数の火災感知器から作動信号を入力し、作動信号を即座に予作動式スプリンクラ消火設備専用中継器に移報するとともに、作動信号が所定時間継続すると、住棟受信機に火災信号を出力し、住棟受信機は、火災受信機からの火災信号を入力すると、弁開制御信号を予作動式スプリンクラ消火設備専用中継器に出力し、予作動式スプリンクラ消火設備専用中継器は、火災受信機から火災感知器の作動信号を入力すると、即座に住棟受信機に火災感知器の作動信号を出力し、住棟受信機から弁開制御信号を入力すると、弁開制御信号を流水検知装置ユニットに出力するので、火災受信機に火災感知器からの作動信号を入力することができるとともに、予作動式スプリンクラ消火設備専用中継器が火災感知器からの作動信号に基づいて予作動弁を開放制御することができるので、予作動弁の迅速な開放制御が可能になっている。
【００８６】
また、請求項１又は２に係る発明によれば、火災受信機は、作動信号が所定時間継続するときに火災と判断して、建物全体を監視制御する住棟受信機に火災信号を出力するので、住戸内に在宅者がいて誤報確認または火源滅失等の警報不要場合には無駄な警報を行わずに済む。
【００８７】
また、請求項１又２に係る発明によれば、予作動式スプリンクラ消火設備専用中継器は、作動信号を入力すると、建物全体を監視制御する住棟受信機に作動信号を出力し、住棟受信機から弁開制御信号を入力すると流水検知装置ユニットに出力するので、住棟受信機に遮断設定を行うことが可能である。
【００８８】
また、請求項３に係る発明によれば、住棟受信機は、共通の伝送線を介して、各区画の火災受信機及び予作動式スプリンクラ消火設備専用中継器との間で伝送信号の送受信を行うので、建物全体の監視制御を信号伝送によって簡便に行うことができる。
【００８９】
また、請求項４に係る発明によれば、予作動式スプリンクラ消火設備専用中継器は、作動信号を入力して流水検知装置ユニットに弁開制御信号を出力した後に、復旧操作によって、流水検知装置ユニットに弁閉制御信号を出力するので、消火活動による火災に基づく煙や熱等が低下しても消火が完了するまで放水を継続することができる。
【００９０】
また、請求項５に係る発明によれば、流水検知装置ユニットは、システム異常時に弁開制御信号が供給され、且つ、スプリンクラヘッドの開放による給水管の２次圧低下を検出すると、予作動弁を開放制御するので、例えば火災感知器の信号が利用できない状況では、閉鎖型スプリンクラヘッドの開放に基づいて放水を開始させることができる。
【００９１】
また、請求項６に係る発明によれば、システム異常時の弁開制御信号は、予作動式スプリンクラ消火設備専用中継器又は住棟受信機から供給されるので、火災感知器の故障やシステムの伝送ダウン時にも湿式のスプリンクラ設備の機能を担保することができる。
【００９２】
また、請求項７に係る発明によれば、試験機能を備えた複数の火災感知器に対して遠隔試験を行う試験手段を備え、感知器の遠隔試験を可能にしたので、点検作業を効率良く行うことができる。
【図面の簡単な説明】
【図１】本発明の実施形態１に係るスプリンクラ消火設備の構成を示したブロック図である。
【図２】図１のスプリンクラ消火設備の火災時の動作を示したフローチャートである。
【図３】図１のスプリンクラ消火設備の非火災時の動作を示したフローチャートである。
【図４】図１のスプリンクラ消火設備の点検時の動作を示したフローチャートである。
【図５】図１のスプリンクラ消火設備の２次圧低下時の動作を示したフローチャートである。
【図６】図１のスプリンクラ消火設備の制御弁閉の時の動作を示したフローチャートである。
【図７】図１の自動火災報知設備の異常時の動作を示したフローチャートである。
【図８】図１のドアホン１２に外部試験器３０をセットして点検作業を行っている状態を示した図である。
【図９】本発明の実施形態２に係るプリンクラ消火設備の構成を示したブロック図である
【図１０】本発明の実施形態３に係るプリンクラ消火設備の構成を示したブロック図である
【図１１】本発明の実施形態４に係るプリンクラ消火設備の構成を示したブロック図である。
【図１２】本発明の実施形態５に係るプリンクラ消火設備の構成を示したブロック図である。
【図１３】本発明の実施形態６に係るプリンクラ消火設備の構成を示したブロック図である。
【符号の説明】
１０  感知器
１２  ドアホン
１４  火災受信機
１６  感知器用中継器
１８  予作動ＳＰ専用中継器
２０  流水検知装置ユニット
２２  端末用中継器
２４  住棟受信機（Ｒ型受信機）
２６  伝送線・制御線
【図１】
0004522610.tif 000002
【図２】
0004522610.tif 000003
【図３】
0004522610.tif 000004
【図４】
0004522610.tif 000005
【図５】
0004522610.tif 000006
【図６】
0004522610.tif 000007
【図７】
0004522610.tif 000008
【図８】
0004522610.tif 000009
【図９】
0004522610.tif 000010
【図１０】
0004522610.tif 000011
【図１１】
0004522610.tif 000012
【図１２】
0004522610.tif 000013
【図１３】
0004522610.tif 000014